(57)【要約】　　　（修正有）【課題】　低い製造コストで燃焼室用のファン用モータの懸架装置を提供する。【解決手段】　ファスナをワークピースに駆動する燃焼動力式工具内の燃焼室のファン用モータ４０用の懸架機構５０において、工具１０は、燃焼室内の燃焼時においてモータの上向きの軸線方向の加速と、モータの次の逆の軸線方向加速とを発生させ、二つの加速の少なくとも一つはモータを工具に関して振動させ、懸架機構は、モータに留められるように構成された内側リングと、工具の一部分に留められるように構成された外側リングと、内側リングと外側リングの間に放射状に配置されかつ内側リングと外側リングを接続しているウェブとを有するマウント６０を備え、内側リング、外側リング及びウェブは一体片である。【選択図】　　　図１
2004130506.tif 000002
【特許請求の範囲】
【請求項１】
　ファスナをワークピースに駆動する燃焼動力式工具内の燃焼室のファン用モータ用の懸架機構において、
　前記工具は、前記燃焼室内の燃焼時において前記モータの上向きの軸線方向の加速と、前記モータの次の逆の軸線方向加速とを発生させ、前記二つの加速の少なくとも一つは前記モータを前記工具に関して振動させ、前記懸架機構は、
　前記モータに留められるように構成された内側リングと、前記工具の一部分に留められるように構成された外側リングと、前記内側リングと前記外側リングの間に放射状に配置されかつ前記内側リングと前記外側リングを接続しているウェブとを有するマウントを備え、
　前記内側リング、前記外側リング及び前記ウェブは一体片である懸架機構。
【請求項２】
　前記外側リングは、前記工具のシリンダヘッドに留められるように構成されている請求項１に記載の懸架機構。
【請求項３】
　前記内側リングは、前記モータに留められ、かつ前記シリンダヘッドのキャビティ内に前記モータを少なくとも部分的に懸架させるように構成されている請求項２に記載の懸架機構。
【請求項４】
　前記マウントは熱可塑性ポリエステルエラストマーで形成されている請求項１に記載の懸架機構。
【請求項５】
　前記マウントは、ＨＹＴＲＥＬ（登録商標）エラストマーで形成されている請求項４に記載の懸架機構。
【請求項６】
　前記ウェブは、前記ウェブが少なくとも二つの部分に分割されるように少なくとも一つの間隙部を有する請求項１に記載の懸架機構。
【請求項７】
　前記ウェブは少なくとも一つの波形部を有する請求項１に記載の懸架機構。
【請求項８】
　前記ウェブは、ほぼ波状断面を有する請求項１に記載の懸架機構。
【請求項９】
　前記ウェブは、少なくとも上側頂点及び下側窪み部まで延びている波形部を有する請求項１に記載の懸架機構。
【請求項１０】
　前記ウェブは、少なくとも二つの波形部を有する請求項１に記載の懸架機構。
【発明の詳細な説明】
【技術分野】
【０００１】
　本発明は、一般に携帯可能な燃焼動力式ファスナ駆動工具に関し、とりわけ、本発明は、燃焼室のファン用モータ用マウントに関する。
【背景技術】
【０００２】
　携帯可能な燃焼動力式ファスナ駆動工具は、ファスナをワークピースへ駆動するために使用されている。例としての実施例のファスナ駆動工具が、特許文献１〜７において記載されており、それら全てを参照することによって本明細書に組み込まれている（例えば、特許文献１〜７参照。）。特定の実施例のファスナ駆動工具は、例えば、ＩＭＰＵＬＳＥ（登録商標）及びＴＲＩＭＭＡＳＴＥＲ（登録商標）の商標でイリノイ州のヴァーノンヒルズのイリノイツールワークスによって販売されている。
【０００３】
【特許文献１】米国特許第４５２２１６２号
【０００４】
【特許文献２】米国特許第４４８３４７３号
【０００５】
【特許文献３】米国特許第４４８３４７４号
【０００６】
【特許文献４】米国特許第４４０３７２２号
【０００７】
【特許文献５】米国特許第５１９７６４６号
【０００８】
【特許文献６】米国特許第５２６３４３９号
【０００９】
【特許文献７】米国再発行特許第３２４５２号
【００１０】
　前述のタイプの工具は、小さな内燃機関を包囲するほぼピストル形状の工具ハウジングを組み込んでいる。この内燃機関は、いわゆる燃料電池とも呼ばれるキャニスタの加圧燃料ガスによって動力が与えられる。電池で動力が与えられる電力供給ユニットは、点火用の火花を生成する。また、燃焼室内に位置するファンにより、室内において有効に燃焼させ、燃焼副生成物の排気を含む掃気を促進する。内燃機関は、シリンダ本体内に配置されている細長い強固なドライバブレードを有する往復ピストンを有する。
【００１１】
　弁スリーブは、シリンダ周りで軸線方向に往復可能であり、リンクの端部におけるワーク接触要素がワークピースに押圧される時、リンクを介して、燃焼室を閉鎖するように移動する。この押圧動作は、さらに、調整針弁を作動開始して特定体積の燃料を閉鎖された燃焼室内へ導く。
【００１２】
　内燃機関の燃焼室内の一回分の量のガスに点火するトリガスイッチを引く時、ピストン及びドライバブレードは、下方へ発射させられて位置決めされたファスナに衝撃を与え、ファスナをワークピースに駆動する。次いで、ピストンは、シリンダ内の差動気圧によって元の又は「用意のできた」位置に戻る。ファスナは、マガジンスタイルでノーズピースへ送られ、そこで、ファスナは、ドライバブレードの衝撃を受け入れるために、適切に位置決めされた向きで保持されている。
【００１３】
　可燃性の燃料と空気の混合物を点火する時、燃焼室内の燃焼により、ピストン／ドライバブレード組立体を加速させ、ファスナがある場合にファスナにワークピースを貫通させる。この組み合わされた下方移動により、工具本体の反力又は反動を生じる。それゆえ、工具本体内で懸架されているファン用モータは、ピストン／ドライバブレード及びファスナの動力行程と反対方向の加速を受ける。
【００１４】
　次いで、数ミリ秒以内で、ピストン／ドライバブレード組立体の勢いがバンパによって停止させられ、工具本体がワークピースに向けて加速させられる。それゆえ、ファン用モータ及び軸は、第一の加速方向と反対の加速力を受けている。これらの往復加速によってファン用モータが工具に関して振動する。この大きさの加速は、制御されていないままであるならば、燃焼室のファン用モータの寿命及び信頼性に有害である。
【００１５】
　最近の携帯可能な燃焼動力式ファスナ駆動工具は、シリンダヘッドのキャビティ内にファン用モータを懸架する懸架機構を有することによって、モータの加速及び振動の問題を処理している。この懸架機構は、工具の操作中において、モータの往復の軸線方向加速と、結果として生じるモータの振動の作用とを減じ、工具内で標準の鉄芯モータを使用しうる。このような懸架機構の前に、往復の加速に耐えるように特製モータが工具内で要求されており、その結果、製造コストが増大する。
【００１６】
　このような最近の懸架機構の実施例は、参照することによってその全体が本明細書に組み込まれている、本願と共通の譲受人に譲渡された特許文献８、９において記載されている（例えば、特許文献８、９参照。）。これら特許文献８、９に記載された懸架機構のタイプは、例えばシリンダヘッドの中心のディペンディングキャビティ内にモータを懸架している。懸架機構は、保持リング又はカップなどのファン用モータを留める保持機構へ加硫又は結合されうる、柔軟なゴムウェブを有する。このウェブは、さらに、保持リングから半径方向に離間しかつシリンダヘッドに留められた、鋼取付ブラケット又は鋼リングなどの機構に加硫又は結合される。弾性ウェブのみが、モータを保持する保持機構をシリンダヘッドに留める。ゴムウェブには、多くの好ましくは止まり端孔を設けることができる。
【００１７】
【特許文献８】欧州特許第１１９７３００号
【００１８】
【特許文献９】欧州特許第９２５８８０号
【００１９】
　これらの及び同様なタイプの懸架機構は、運転で誘起されるモータの往復の加速を低減又は減衰させ、その一方で、モータの振動を許容範囲内に維持し、それゆえ、モータの寿命を延ばす。懸架機構を有する携帯可能な工具において標準モータが使用されうるので、工具の製造コストが低減されうる。
【発明の開示】
【発明が解決しようとする課題】
【００２０】
　しかしながら、中でも、ゴムウェブをスタンプ加工してゴムウェブを加硫又は結合するコストにより、現在の懸架機構を製造するのは困難で高価であった。製造業者に価格を下げるように商業的圧力が続くことにより、低い製造コストで従来技術の懸架装置の利益を実質的に提供する燃焼室用ファン用モータの懸架装置を提供することが要求されている。
【課題を解決するための手段】
【００２１】
　本発明は、燃焼動力工具のファン用モータ懸架機構用マウントを提供することである。この燃焼動力工具は、加速の少なくとも一つによってモータを工具に関して振動させる、燃焼室内の燃焼時のモータの上向きの軸線方向加速と、モータの次の逆の軸線方向加速とを発生させるタイプである。懸架機構は、モータに留められるように構成されている内側リングと、工具の一部分に留められるように構成された外側リングと、内側リングと外側リングの間で放射状に配置されかつこれらリングを接続するウェブとを有するマウントを備えている。マウントの内側リング、外側リング及びウェブは一体片である。
【００２２】
　好ましくは、マウントのウェブは、ウェブの弾性を改良又は調整するための少なくとも一つの波形部を有する。ウェブは、一つ以上の間隙部によって少なくとも二つの部分に分割されうる。また、マウントは、デラウェア州のウィルミントンのE.I. Dupont de Nemours and Companyによって製造されるＨＹＴＲＥＬ（登録商標）エラストマーなどの熱可塑性ポリエステルエラストマーで形成されていることが好ましい。
【００２３】
　本発明の好適な実施例において、工具は、燃焼室の少なくとも一部分を形成しているシリンダヘッドを有し、マウントの外側リングは保持リングによってシリンダヘッドに留められている。内側リングは、一対の保持リングによってモータに留められており、シリンダヘッドのキャビティ内に少なくとも部分的に懸架されている。
【発明を実施するための最良の形態】
【００２４】
　ここで図１を参照すると、本発明で使用するのに適したタイプの燃焼動力式工具が全体として１０で示されている。燃焼動力式工具の一つのタイプが本明細書において示されているが、この懸架装置で使用するのに適した他の工具構成及び配置の構成要素を設けうるということが意図されている。工具１０は、完全独立した内燃式電源１６を包囲するように寸法決められた主電源室１４を有するハウジング１２と、主電源室１４とほぼ平行でありかつ隣接した燃料電池室１８と、燃料電池室１８の一方側から延びておりかつ主電源室１４の反対であるハンドル部２０とを有する。
【００２５】
　さらに、ファスナマガジン２２は、主電源室１４の下端部２８から延びているノーズピース２６との係合点からハンドル部２０とほぼ平行に延びるように位置決めされている。電力を工具１０へ供給するバッテリ（図示せず）が設けられており、このバッテリは、ハウジング１２のファスナマガジン２２と反対側のコンパートメント（図示せず）内に解放可能に収納されている。上端部３０が主電源室の下端部２８の反対にある。キャップ３２が上端部３０を覆っており、キャップ３２は、ファン用モータ及び点火プラグを保護するようにハウジング１２に解放可能に締め付けられている。ここで使用されているように、「下」及び「上」は、図１で示すような操作の向きにおける工具１０について指すために使用されているが、本発明は、用途に依って種々の向きで使用しうるということが理解されるであろう。
【００２６】
　米国特許第４４８３４７４号に示されている、機械的に連結された燃料調整針弁（図示せず）を使用することができる。あるいは、電磁ソレノイドタイプの燃料調整針弁（図示せず）又は譲受人が本願の譲受人と同一である米国特許第５２６３４３９号に記載されたタイプのインジェクタ弁が、当業界において公知のように、燃焼室内へ燃料を導入するために設けられている。ＭＡＰＰなどの加圧された液状炭化水素燃料は、燃料電池室１８内に配置された燃料電池内に収納され、当業界で公知のように、推進薬によって加圧される。
【００２７】
　図１及び２をここで参照すると、主室の上端部３０に配置されたシリンダヘッド３４は、燃焼室３６の上端部を形成しており、点火プラグ（図示せず）用の点火プラグポート（図示せず）と、ファン用電気モータ４０と、シールＯリング（図示せず）を備えている。本発明では、ファン用モータ４０は、日本の東京の日本電産コパルや日本のキャノンや他の公知のモータ製造業者によって製造されるタイプの永久磁石ブラシＤＣモータとして公知の従来の鉄心モータである。このファン用モータ４０は、アーマチャ（図示せず）及びアーマチャ軸４３を有するアーマチャ軸端部４２と、アーマチャ軸端部４２の反対のブラシ端部４５とを有する。
【００２８】
　ファン用モータ４０は、全体として５０で示されているファン用モータの懸架機構によって、ディペンディングキャビティ５２内で、モータのいくらかの長手方向移動を許容するシリンダヘッド３４の中央において摺動可能に懸架されている。図２に示すように、ファン用モータ４０は好ましくはキャビティ５２内に保持されており、空気間隙部５４がモータの下側又はアーマチャ軸端部４２とキャビティ５２の床部５６との間で形成されている。空気間隙部５４の機能は、操作の過程において生じる振動中においてモータ用クリアランスを提供することである。好ましくは、アーマチャ軸４３は、床部５６の穴５７を貫通している。
【００２９】
　図２においてさらに示しているように、懸架機構５０は、全体的に６０で示されているモータマウントを有する。モータマウント６０は、内側環状リング６２と、中央弾性ウェブ部（ウェブ）６４と、外側環状リング６６とを有している。内側リング６２は、モータの側壁６３において、好ましくは、アーマチャ軸端部４２へよりもブラシ端部４５へ長手方向において近いモータの部分において、ファン用モータ４０と接触して留めるように構成されている。内側リング６２をモータ４０に留めるために、好ましくはスナップリングなどの二つの内側保持リング６８は、少なくとも部分的にモータの側壁６３周りで配置されており、内側リング６２を軸線方向に包囲している。内側保持リング６８は、好ましくは、側壁６３に形成されている一対の対応の溝部７０内に受容されており、これら溝部７０は、保持リング６８を軸線方向に拘束するために構成されている内側壁７１を有している。したがって、内側リング６２は、保持リング６８に挟まれ又は軸線方向に拘束されており、モータ４０のための取付地点を備えている。
【００３０】
　マウント６０の外側リング６６は、工具１０の一部分、好ましくはシリンダヘッド３４に留められている。図２に示す実施例において、外側リング６６は、シリンダヘッド３４の環状肩部７２に対して保持されている。対の保持リング６８よりも大きな直径を有するスナップリングなどの別の保持リング７４は、外側リング６６をシリンダヘッド３４に留める。保持リング７４が外側リング６６を覆って配置されており、保持リング７４は、留められる時、シリンダヘッド内に形成されている溝部７６内に受容され、肩部７２の上方に配置され、保持リング７４は、溝部７６の内側壁７７によって軸線方向に拘束されている。したがって、外側リング６６は、肩部７２と保持リング７４の間で軸線方向に留められている。
【００３１】
　ウェブ６４は、半径方向において内側リング６２と外側リング６６の間で延びており、内側リング６２と外側リング６６を接続している。ウェブ６４は、モータ４０によるある程度の軸線方向の移動を許容するために、一つ以上の波形部、折り目部又は蛇腹部８０を有するように形成されている。波形部８０がこの実施例ではウェブの好適な構造として記載されているが、折り目部、蛇腹部又は同様な形状を採用しうるということが理解される。好ましくは、波形部８０は、内側リング６２及び外側リング６６の軸線方向外面を越えない一つ以上の頂点８２へ軸線方向に延びており、（頂点８２を有する）波形部８０は、内側リング６２及び外側リング６６の外面に関してへこんでいる。この波形部８０により、ウェブ６４は弾性を持ち、モータ４０の衝撃が吸収される。
【００３２】
　図３は、図１、２に示すモータマウント６０とは異なる構成である、ウェブ１０２を有するモータマウント１００の第二実施例を示している。外側リング６６は、シリンダヘッド３４内に配置された点火プラグ（図示せず）用の空間部を許容するように、凹所８３を有する。しかしながら、図３に示すように、外側リング６６は、内側リング６２のように好ましくは連続的である。これにより、キャビティ５２内でモータ４０の一定の軸線方向の整列を維持するのを助け、アーマチャ軸４３とキャビティの穴５７の間の誤整列を減らしている。モータマウント１００内のウェブ１０２は、ウェブによって区画された一対の間隙部８８によって二つの不連続部８７に分割されている。これら間隙部８８の一つは、凹所８２用のクリアランスを提供するように、凹所８２の半径方向内側に配置されている。好適な実施例において、モータ４０の往復の軸線方向の運動の平衡を保つように、これら間隙部８８は、互いに直径方向に反対に配置されている。外側リング６６上に形成されかつ外側リング６６から半径方向外側に延びている一対のキー９０は、肩部７２近傍におけるシリンダヘッド３４内の相補的な組の凹所（図示せず）内に嵌め込まれるように設けられている。キー９０の数及び構成が用途に適するように変えうるということが考えられる。さらに、キー９０が凹所であり、シリンダヘッド３４が係合キー構成を有するということも考えられる。このキー９０により、シリンダヘッド３４内のマウント６０の回転がなくされないまでも著しく減らされる。
【００３３】
　マウント６０、１００の特徴は、金属リング又はブラケットに加硫又は接着される別個のゴムウェブを有する従来の懸架機構とは対照的に、マウントが一体片で形成されているという点である。さらに、マウント６０は、好ましくは、Ｅ．Ｉ．Ｄｕｐｏｎｔ　ｄｅ　Ｎｅｍｏｕｒｓ及びデラウェア州のＷｉｌｍｉｎｇｔｏｎ社によって製造されたＨＹＴＲＥＬ（登録商標）エラストマーなどの熱可塑性ポリエステルで形成されている。本発明者は、ＨＹＴＲＥＬ（登録商標）エラストマーで形成されたマウント６０、１００が、モータ４０の加速を吸収する又は弱める所望量の弾性を提供し、その一方で、従来技術の懸架装置よりも著しく安価で製造及びカスタマイズすることができるということを認めている。マウント６０、１００は、懸架機構において金属又はゴムモータマウントを交換することにより、既存の燃焼工具を用いて構成することもできる。
【００３４】
　懸架機構５０は、操作時において、モータ４０が工具１０に関して過度に振動して及び底又は上につかないように調整されなければならない。この「調整」によって、懸架機構５０のモータマウント６０、１００の弾性により、特定の電源１６によって生成される、燃焼で誘導される力に依存して、特定用途の予め定めた限度内で特定のモータが過度に振動することを防ぐように調節されているということを意味する。当業者によって認識されるように、マウント６０、１００は、ＨＹＴＲＥＬ（登録商標）エラストマー又は他の熱可塑性ポリエステルエラストマーで製造されており、工具を最適化する又は改造するためにカスタマイズされた形状、寸法などに成形又は他の方法で形成されうる。
【００３５】
　本発明によるマウント６０、１００を調整するために容易に変えうるパラメータは、ウェブ６４、１０２の形状、ウェブの波形部、折り目部又は蛇腹部８０の数及び高さ、ウェブ又はリング６２、６６の厚さ、ウェブの不連続部間の間隙部８８の数、寸法及び形状（、及び、その結果、ウェブの不連続部８７の数）を含んでいる。マウント６０、１００を構成するＨＹＴＲＥＬ（登録商標）エラストマー又は同様な材料を使用することにより、これらのパラメータの中の一つ以上が変わるマウントの設計及び製造を容易に行うことができる。
【００３６】
　例えば、図４及び５は、一つの間隙部１１２及び一つのウェブ１１４を有する第三実施例のモータマウント１１０を示している。図６及び７は、六つの間隙部１２２及び六つの部分１２４と一つのウェブ１２６とを有する第四実施例のモータマウント１２０を示している。図５と図７の比較は、ウェブ１１４とウェブ１１６の間で変わっている形状の例を示している。例えば、図５は、ウェブ１１４が、比較的に直線状の降下部９４によって分離された、上側頂点８２及び下側窪み９２（図５の向きで示すように）を有する、断面において波状の波形部８０を有していることを示している。この構成により、モータ４０の移動をより少なくしうる制限の少ない移動が可能となる。対照的に、図７は、二つの頂点８２を持った一対の波形部８０を有する（図７の向きで示すように）ほぼＭ形状の正弦波断面を有するウェブ１１６を示している。さらに、図２に示すウェブ６４は一つの波形部８０を有する。当業者は、マウント６０、１００、１１０、１２０について、前述のパラメータ及び当業者に公知の他のパラメータを変化させることによってかなりの数の実施例が可能であり、これらの実施例の全てが本発明によって予測されるということを認識するであろう。
【００３７】
　図１をさらに参照すると、ほぼ筒状の燃焼室３６は摺動弁部材１３０によって開閉する。この摺動弁部材１３０は、公知の方法でリンクを用いてノーズピース２６上のワークピース接触要素１３２によって主室１４内で移動させられる。摺動弁部材１３０は燃焼室内の気体制御装置として機能し、燃焼室の側壁は、弁部材１３０によって形成されており、摺動弁部材１３０の上端部は、Ｏリング（図示せず）とシール係合して燃焼室の上端部をシールする。摺動弁部材１３０の下端部１３６は、ほぼ筒状体又はシリンダ１３８を境界付けている。筒状体１３８の上端部には、燃焼室３６の下端部をシールするように、摺動弁部材１３０の対応部分と係合する外側Ｏリング（図示せず）が設けられている。
【００３８】
　往復可能に配置されたピストン１４４がシリンダ本体１３８内にある。ノーズピース２６内に適切に位置決めされたファスナ（図示せず）をワークピース（図示せず）へ駆動するために使用されている、強固な延長ドライバブレード１４６がピストン１４４に取り付けられている。シリンダ本体１３８の下端部は、ピストン１４４の動程の下限を規定しているバンパ１５０用の座部１４８を形成している。シリンダ本体１３８の反対端部において、ピストンストップ保持リング１５２が、ピストン１４４の上方移動を制限するように付けられている。
【００３９】
　工具１０を操作するためのつまみがハウジング１２のハンドル部２０内に位置決めされている。トリガスイッチ組立体１５４は、トリガスイッチ１５６と、トリガ１５８と、付勢されているトリガ戻し部材１６０とを有する。トリガスイッチ１５６の制御の下でＥＣＵ１６２は点火プラグ（図示せず）を作動させる。
【００４０】
　操作時において、トリガ１５８が引かれると、信号がＥＣＵ１６０から生成され、点火プラグ３８の火花間隙で放電が引き起こされる。この放電により、燃焼室３６内へ噴射されてファン１６４で気化された又は破片にされた燃料に点火する。ファン１６４は、アーマチャ軸４３によって駆動させられ、燃焼行程を改良して冷却及び掃気を容易にするように燃焼室３６内に配置されている。ファン用モータ４０は、好ましくは、参照することによって組み込まれている従来の特許でより詳細に開示されているように、ヘッドスイッチ及び／又はトリガスイッチ１５６によって制御されている。
【００４１】
　当業界において公知のようにドライバブレード１４６がファスナと接触してファスナを基板に駆動するまで、上記点火によって、ピストン１４４及びドライバブレード１４６がシリンダ本体１３８の下方へ押される。次に、ピストン１４４は、燃焼室３６内のシール状態によって部分的に維持されている、シリンダ内の気体の差圧により元の位置又は「準備のできた」位置へ戻る。
【００４２】
　ファン用モータ４０はこのサイクル中において二つの主たる加速を受ける。最初に、燃焼室３６内の可燃ガスを点火することによってピストン１４４がワークピースに向けて下方に押され、好ましくはファスナがワークピースに押される時、工具１０は、反対方向で上方の力又は反動力を受ける。工具１０の懸架機構５０によって懸架されているファン用モータ４０は、この懸架機構５０を通して伝達される力によって、工具１０の反発の方向に上方に加速される。さらに、アーマチャ軸４３は、軸線方向の遊びの限度内において、モータ４０に関して移動を制限させていることによって同じ方向に加速されている。次に、約１０ミリ秒未満で、ピストン１４４がシリンダ内でバンパ１５０に対して下につく。この動作により、工具１０のワークピースに向かう加速を変化させる。それゆえ、この時、モータ４０及び軸４３はこの新しい反対方向に向けて加速される。本発明の懸架機構５０及びマウント６０、１００、１１０、１２０は、燃焼で発生する主室１４のモータ４０への運転中の力を最小化しかつ軸線方向の加速度及び大きな振動からモータ４０を保護するように、衝撃吸収及び絶縁システムを提供する。
【００４３】
　モータマウント６０、１００、１１０、１２０は、モータ４０を懸架して支持し、運転中において燃焼で発生するモータの加速を低減する。モータマウント６０、１００、１１０、１２０は、（好ましくは適切に調整された時、）振動を減衰させ、（上につく又は底につく）工具１０を確実に拘束している中で、有害に接触することなく動的に作用する。モータマウント６０、１００、１１０、１２０は、予定した実際の反復可能な時間によって分離される二つの反対の加速を見越して、好ましくはキャビティ５２の境界内で、モータ４０を弾性的に拘束し、モータ４０の示す加速力「ｇ」を最小化する。モータ４０は、工具１０によって発生する加速力のために提供するようにカスタム設計される必要がない。その代りに、加速を吸収する及び振動を減衰させることができる懸架機構５０を用いれば、より安価なモータを設けることができ、性能を損なうことなく工具の製造費全体を減じることができる。
【００４４】
　モータマウント６０、１００、１１０、１２０は、モータ４０用のマウントの支持減衰特性を最適化するように、前述の変形を用いて、図１〜７の例で示されるように設計及び／又は調整されうるということを当業者は認識するであろう。
【００４５】
　本発明は、好ましくは安価に製造されかつ容易に調整され、かつ標準のモータを有する工具を含むいくつかの既存の工具に改造することができる、携帯可能な燃焼動力式工具の懸架機構用のモータマウントを提供する。本発明のマウントは、低コストで以前の鋼／ゴムの懸架機構の利益を提供している。
【００４６】
　本発明の燃焼動力式工具用のマウントの特定の実施例を示しかつ記載したが、より広い態様で特許請求の範囲に記載されているように本発明から逸脱することなく、特定実施例を変形及び修正しうるということを当業者は認識するであろう。
【図面の簡単な説明】
【００４７】
【図１】本発明の一実施例の燃焼動力式ファスナ工具の部分側面図であり、明確のために工具が部分的に切り取られかつ垂直断面である。
【図２】本発明の第一実施例のモータマウントを有する、本発明の一実施例のシリンダヘッド及び懸架機構の垂直断面図である。
【図３】本発明の第二実施例のモータマウントの斜視図である。
【図４】本発明の第三実施例のモータマウントの斜視図である。
【図５】図４の線５−５に沿ってほぼその方向に見た第三実施例のモータマウントの断面図である。
【図６】第四実施例のモータマウントの斜視図である。
【図７】図６のモータマウントからの波形部の断面図である。
【符号の説明】
【００４８】
１０…燃焼動力式工具
３６…燃焼室
４０…ファン用モータ
５０…懸架機構
６０…マウント
６２…内側リング
６４…ウェブ
６６…外側リング
【図１】
2004130506.tif 000003
【図２】
2004130506.tif 000004
【図３】
2004130506.tif 000005
【図４】
2004130506.tif 000006
【図５】
2004130506.tif 000007
【図６】
2004130506.tif 000008
【図７】
2004130506.tif 000009